(57)【要約】      （修正有）【課題】既製の飲料販売用自動販売機で販売できる半生麺用の包装用容器を提供する。【解決手段】半生麺を収納し、既製の飲料販売用自動販売機で販売できるようにしてなる半生麺用の包装用容器であって、既製の飲料販売用自動販売機で販売可能な飲料容器の形状及び大きさに対応した筒体構造を有し、半生麺の収納及び取り出しが可能な開閉可能な蓋２を備えて構成されている。【選択図】図２
0003225031.tif 000002
【実用新案登録請求の範囲】
【請求項１】
半生麺を収納し、既製の飲料販売用自動販売機で販売できるようにした半生麺用の包装用容器であって、既製の飲料販売用自動販売機で販売可能な飲料容器の形状及び大きさに対応した筒体構造に形成され、半生麺の収納及び取り出しが可能な開閉蓋を備えてなることを特徴とする包装用容器。
【請求項２】
筒体構造が、多角形の筒体構造であることを特徴とする請求項１記載の包装用容器。
【請求項３】
多角形の筒体構造が、八角形のボール紙製の筒体構造であることを特徴とする請求項２記載の包装用容器。
【請求項４】
筒体構造が、円形のボール紙製の筒体構造であることを特徴とする請求項１記載の包装用容器。
【考案の詳細な説明】
【技術分野】
【０００１】
本願考案は、うどん麺、そば麺、中華麺等の半生麺用の包装用容器の構成に関し、特に自動販売機での販売に適した半生麺用の包装用容器の構成に関するものである。
【背景技術】
【０００２】
最近では、冷凍麺のような解凍が不要で、保存期間が長いにも拘らず、生麺と変わらない食味を提供できるとして、半生のうどん麺やそば麺、中華麺等の半生麺の販売が増えている。そして、これら半生麺の販売形態は、現在のところ、店頭販売、ネット通販が主流であり、何れにあっても、個別に所定の収納袋（ポリ袋）に入れた麺を所定の数袋詰めにするか、箱詰めにして販売しているのが通常である。
【０００３】
このような販売方法の場合、置かれた環境や季節によって麺の保存温度が変わり、美味しい食味を維持できる保存期間が一定しない。このため、上記収納袋を非通気性のものとし、半生麺と共に脱酸素剤を入れて密封し、その後加熱処理を施したり、また半生麺の水分量を低減し、微生物の活動を抑制することにより、保存期間を長くする対策が採られている（たとえば特許文献１を参照）。
【先行技術文献】
【特許文献】
【０００４】
【特許文献１】特開昭６０−０８３５５２号公報
【考案の概要】
【考案が解決しようとする課題】
【０００５】
先ず半生麺の販売形態として、上記店頭販売の場合、店の開店時間は限られており、消費者が２４時間いつでも欲しい時に購入できるというわけではない。もちろん、２４時間開店しているコンビニ店などもあるが、コンビ店では売り場面積の関係もあり、余り半生麺は置いていないのが実態である。また、店頭での販売は、販売店にとって店舗の設置、運営、人件費等のコストがかかる。さらに、ネット通販は、消費者が欲しい時に速やかに購入できるというわけではないし、販売者にとっても物流コストがかかる。
【０００６】
次に、保存期間を長くするに際し、上記のように収納袋を非通気性のものとして、半生麺と共に脱酸素剤を入れて密封し、その後加熱処理を施したり、また半生麺の水分量を低減する方法は、手間やコストのかかる割には有効な方法となり得ていない。特に、水分量を低減することは、折角の半生麺特有の美味しい食味を低下させる致命的な欠点がある。
【０００７】
本願発明は、このような事情に基づいてなされたもので、普及が進んでいる飲料自動販売機の商品冷蔵機能に着目し、既製の飲料自動販売機で飲料と共通に販売可能にすることによって、十分に保存期間を長くすると共に、販売者が人件費をかけることなく販売することができ、また消費者が２４時間何時でも自由に購入することができるようにした半生麺用の包装容器を提供することを目的とするものである。
【課題を解決するための手段】
【０００８】
本願考案は、上記の課題を解決するために、次のような課題解決手段を備えて構成されている。
【０００９】
（１）請求項１の考案の課題解決手段
この請求項１の考案の包装用容器は、半生麺を収納し、既製の飲料販売用自動販売機で販売できるようにした半生麺用の包装用容器であって、既製の飲料販売用自動販売機で販売可能な飲料容器の形状及び大きさに対応した筒体構造に形成され、半生麺の収納及び取り出しが可能な開閉蓋を備えて構成されている。
【００１０】
このように、この考案の包装用容器は、既製の飲料販売用自動販売機で販売可能な飲料容器の形状及び大きさに対応した筒体構造に形成され、半生麺の収納及び取り出しが可能な開閉蓋を備えて構成されている。
【００１１】
したがって、蓋を開けた状態で半生麺を収納し、その後、蓋を閉めて固定すると、ペットボトルや缶などの飲料容器と同様の包装容器となり、既製の飲料販売用自動販売機で飲料と全く共通に販売することができる。飲料自動販売機は冷蔵庫と同様の冷凍機であり、適切な冷蔵機能を有しており、保存温度の調節も可能である。したがって、半生麺を長期に亘って、食味を落とすことなく保存することができる。
【００１２】
また、容器自体が既製の飲料販売用自動販売機で販売可能な飲料容器の形状及び大きさに対応した缶同様の筒体構造に形成されているので、自動販売機への投入、ラック部への収納、ラック部からシューターを介した取り出し口への移送（ガイド）もスムーズとなり、ペットボトルのような姿勢制御も不要である。したがって、普及している殆どの自動販売機を使用して、飲料と同様に販売することができる。
【００１３】
また、このように既製の飲料自動販売機を利用して、飲料と全く同様に販売することができるので、半生麺販売専用の自動販売機を設計、製造する場合に比べて、遥かに安価に実現することができる。
【００１４】
（２）請求項２の考案の課題解決手段
この請求項２の考案の包装用容器は、上記請求項１の考案の包装容器において、同容器の筒体構造が、多角形の筒体構造であることを特徴としている。
【００１５】
最近の飲料用自動販売機の場合、販売する飲料の種類も多く、大容量化が進んでおり、床面から飲料投入口までの高さが１．６ｍを超える製品も珍しくない。また、投入口部分の奥行きも深くなっている。しかも、半生麺の場合、その商品重量も重い。
【００１６】
そのため、当該包装容器は投入口への投入時、またラック部からシューターを介して取り出し口に落下した時の衝撃もそれなりに大きい。したがって、当該包装容器は、そのような衝撃でも、傷付いたり、変形しないことが求められる。
【００１７】
そこで、同容器の筒体構造には、例えば多角形の筒体構造が採用される。多角形の場合、円形に近くて十分に収納容積が広く、移送時（ガイド時）の転動性が高いにも拘わらず、周方向に所定の間隔で多くの角部が形成されている。したがって、偏平面や円形面の場合に比べて、側面強度が大きく向上する。
【００１８】
そのため、例えば容器の構成素材として紙材を採用した場合にも、上記投入口への投入やラック部から取り出し口への落下の際の衝撃によって、容器が傷付いたり、変形したりすることがなくなる。
【００１９】
（３）請求項３の考案の課題解決手段
この請求項３の考案の包装用容器は、上記請求項２の考案の包装用容器において、同容
器の多角形の筒体構造が、八角形のボール紙製の筒体構造であることを特徴としている。
【００２０】
このように、当該包装用容器の多角形の筒体構造が、八角形のボール紙製の筒体構造である場合、当該包装用容器を構成している素材が、例えば安価なコートボール紙と段ボール紙の貼合紙であるような場合にも、限りなく円形に近い八角形の筒体構造により、側面強度が有効に向上されて、上記投入口への投入やラック部から取り出し口への落下の際の衝撃によっても、より容器が傷付いたり、変形したりしにくくなる。しかも、移送時（ガイド時）の転動性も高いので、スムーズな搬出が可能となる。
【００２１】
また、当該包装容器の素材が、コートボール紙に段ボール紙を貼り合わせた貼合紙である場合、段ボール紙部分で衝撃時の緩衝性があるために、収納されている半生麺への影響も少ない。また、コートボール紙に段ボール紙を貼り合わせた貼合紙の場合、古紙の使用が可能で、リサイクル性も高く、環境適合性にも優れている。
【００２２】
（４）請求項４の考案の課題解決手段
この請求項４の考案の課題解決手段は、上記請求項１の考案の課題解決手段において、当該包装用容器の筒体構造が、円形のボール紙製の筒体構造であることを特徴としている。
【００２３】
このように、当該包装用容器の筒体構造が、円形のボール紙製の筒体構造である場合、当該包装用容器を構成している素材が、例えば安価なコートボール紙と段ボール紙の貼合紙であるような場合にも、その厚さを一定の厚さのものにしさえすれば、同円形の筒体構造により、側面強度が有効に向上されて、上記投入口への投入やラック部から取り出し口への落下の際の衝撃によっても、容器が傷付いたり、変形したりしにくくなる。しかも、円形の場合、移送時（ガイド時）の転動性は、より良好なものとなる。
【００２４】
また、当該包装容器の素材が、コートボール紙に段ボール紙を貼り合わせた貼合紙である場合、段ボール紙部分で衝撃時の緩衝性があるために、収納されている半生麺への影響も少ない。また、コートボール紙に段ボール紙を貼り合わせた貼合紙の場合、古紙の使用が可能で、リサイクル性も高く、環境適合性にも優れている。
【考案の効果】
【００２５】
以上の結果、本願考案によると、すでに製造販売されている既製の飲料等の自動販売機をそのまま利用して、うどん麺、そば麺、中華麺等の半生麺を並列販売又は専用販売することができ、前述した従来の課題を確実に解決することができる。そして、２４時間、低コストで販売増を期待することができる。また、２４時間何時でも購入できることは、ユーザーにとっても非常に便利となる。
【図面の簡単な説明】
【００２６】
【図１】本願考案の実施の形態１に係る包装用容器の蓋閉状態の正面側斜視図である。
【図２】同包装用容器の蓋開状態の正面左側斜視図である。
【図３】同包装用容器の展開状態の平面図（全体図）である。
【図４】同包装用容器の上端側展開状態の要部拡大平面図である。
【図５】同包装用容器の下端側展開状態の要部拡大平面図である。
【図６】同包装用容器の蓋閉状態の正面図である。
【図７】同包装用容器の蓋閉状態の左側面図である。
【図８】同包装用容器の蓋閉状態の右側面図である。
【図９】同包装用容器の蓋閉状態の背面図である。
【図１０】同包装用容器の蓋閉状態の平面図である。
【図１１】同包装用容器の蓋閉状態の底面図である。
【図１２】同包装用容器の図６のＡ−Ａ拡大断面図である。
【図１３】同包装用容器の図１０のＢ−Ｂ断面図である。
【図１４】同包装用容器の図１３のＣ−Ｃ拡大断面図である。
【図１５】同包装用容器のが外周面印刷後の製品の一例を示す斜視図（画像図）である。
【図１６】本願考案の実施の形態２に係る包装用容器の蓋閉状態の正面側斜視図である。
【図１７】同包装用容器の蓋閉状態の平面図である。
【図１８】同包装用容器の蓋閉状態の底面図である。
【図１９】本願考案の実施の形態３に係る包装用容器の蓋閉状態の正面側斜視図である。
【図２０】同包装用容器の蓋開状態の正面左側斜視図である。
【図２１】同包装用容器の展開状態の平面図（全体図）である。
【図２２】同包装用容器の蓋閉状態の正面図である。
【図２３】同包装用容器の蓋閉状態の左側面図である。
【図２４】同包装用容器の蓋閉状態の右側面図である。
【図２５】同包装用容器の蓋閉状態の背面図である。
【図２６】同包装用容器の蓋閉状態の平面図である。
【図２７】同包装用容器の蓋閉状態の底面図である。
【図２８】同包装用容器の図２２のＡ−Ａ拡大断面図である。
【図２９】同包装用容器の図２２のＢ−Ｂ断面図である。
【図３０】同包装用容器の図２９のＣ−Ｃ拡大断面図である。
【考案を実施するための形態】
【００２７】
以下、図１〜図３０を参照して、本願の考案を実施するための幾つかの形態の構成及び作用について、詳細に説明する。
【００２８】
（１）本願の考案を実施するための第１の形態の構成及び作用
先ず、図１〜図１２は、同第１の形態における包装用容器の構成及び作用を示している。
【００２９】
この第１の形態における包装用容器は、例えば、うどん麺やそば麺、中華麺等の半生麺を収納し、既製のお茶、清涼飲料水等のペットボトル、缶ジュース、缶コーヒー等の飲料用自動販売機で共通に販売することができる大きさ、形状のものに形成されている。
【００３０】
すなわち、同包装用容器は、たとえば図１及び図２に示すように、その本体１部分が全体として円筒体に近い多角形状である正八角形状の筒体に形成され、その上端側に同じく正八角形状の扁平な蓋（蓋部材）２、下端側に同じく正八角形状の扁平な底（底部材）３がそれぞれ設けられている。本体１部分の長さ及び外径は、当該自動販売機で販売可能な飲料容器の規格寸法（許容寸法）に合わせて設定されている。
【００３１】
本体１部分及び蓋２、底３部分は、共に所定の板厚、所定の強度の紙材（一例として、コートボール紙と段ボール紙の貼合紙）により形成されており、例えば図３の展開図に示されるようにカットされた１枚の紙材の左右方向に第１〜第８の８つの偏平面１ａ〜１ｈを形成するための縦方向の平行な折り目（縦方向の平行な実線ラインを参照／符号省略）とその両端側を相互に接合するための各偏平面１ａ〜１ｈよりも狭い所定の幅の糊付け部（一例として、ホットメルト接合部）１ｉを設けている一方、それらの略中間部に位置する第５の偏平面１ｅの上下両端側に水平方向の折り曲げ部１ｊ、１ｋを介して蓋２、底３を一体に連接している。また、第１、第３、第７の偏平面１ａ、１ｃ、１ｇの上下両端には、それぞれ蓋２、底３と同様の水平方向の折り曲げ部（連接部の実線を参照／符号省略）を介して内側に直角に折り曲げられ（図２の状態を参照）、蓋２、底３を閉じた時（図１３及び図１４、図１２の状態を参照）に当該蓋２、底３の下面側、上面側に入って当該蓋２、底３の本体面を支持する第１〜第３の３つの支持片１１ａ，１１ｃ，１１ｇ、１２ａ，１２ｃ，１２ｇを連接している。
【００３２】
また、上記正八角形の蓋２、底３の本体面対角方向の各辺（４辺）には、筒体化した本体１の上下両端側八角形の各開口部に蓋２、底３を閉状態に係合するための４つの係合片（爪片）２ａ，２ｂ，２ｃ，２ｄ、３ａ，３ｂ，３ｃ，３ｄがそれぞれ連接されている。これら対角方向の４つの係合片２ａ，２ｂ，２ｃ，２ｄ、３ａ，３ｂ，３ｃ，３ｄは、それぞれ折り曲げ部（連接部）１ｊ，１ｋ側のもの２ｂ，２ｄ、３ｂ，３ｄがそれぞれ小さな台形片、先端側のもの２ａ，２ｃ、３ａ，３ｃが相対的に大きな方形片となっており、それぞれ連接する各辺に沿った折り曲げ部を有して、同折り曲げ部で内側に略直角に折り曲げられるようになっている（図２の構成を参照）。
【００３３】
したがって、図３の展開状態にある左右方向に並設された第１〜第８の８つの偏平面１ａ〜１ｈと糊付け部１ｉとを有する本体１部分を筒体化し、偏平面１ａの内側に糊付け部１ｉを重合して糊付け（接合）一体化すると、まず断面正八角形状の上下両端側が開口した筒体が形成される（図２の状態で底３側も蓋２と同様に開いた状態の筒体）。そして、この状態で、次に同断面正八角形状の筒体の下端側開口部の第１〜第３の３つの支持片１２ａ，１２ｃ，１２ｇを、図２の蓋２の場合と同様に、それぞれ直角に折り曲げ、開口面に沿った状態にしておく（図２の上下を逆にした状態に対応）。
【００３４】
その上で、それら第１〜第３の３つの支持片１２ａ，１２ｃ，１２ｇ、折り曲げ部１ｋ間（上下を逆にした図２のイ〜ニ部分に対応）に上記直角に折り曲げられた底３の上記４つの係合片（爪片）３ａ，３ｂ，３ｃ，３ｄをそれぞれ嵌め込んで相互に係合し、固定する。これにより底３が閉じた状態に係止される（図１、図２、図６〜図９、図１１〜図１３参照）。この状態において、底３の本体面は、上記第１〜第３の３つの支持片１２ａ，１２ｃ，１２ｇで上面側を支持され、同第１〜第３の３つの支持片１２ａ，１２ｃ，１２ｇ、及び折り曲げ部１ｋ間（上下を逆にした図２のイ〜ニ部分）に上記直角に折り曲げられた対角方向の４つの係合片（爪片）３ａ，３ｂ，３ｃ，３ｄを嵌め込んで係合することにより係止固定されるが、同底３本体の上面側と第１〜第３の３つの支持片１２ａ，１２ｃ，１２ｇの下面とは、必要に応じてホットメルト等の接合手段を用いて接合するようにしても良い。また、上記係止固定後、セロテープなどを底３の外周に貼ることにより、底３の本体面と本体１の開口部外周面を接合するようにしても良い。そのようにすると、より底３の強度が高くなる。
【００３５】
この場合、上記対角方向の４つの係合片３ａ，３ｂ，３ｃ，３ｄのうち、折り曲げ部（連接部）１ｋ側の係合片３ｂ，３ｄの形状は、図５に拡大して示すように、方形で対向する各辺が相互に平行な先端側の係合片３ａ，３ｃの形状とは異なり、略台形状で、しかも対向する各辺が相互に不平行に形成されている。そして、底３の本体面に連接する折り曲げ部３ｅを含む４つの辺３ｅ及びＡ，Ｂ，Ｃ各部の長さは、例えば底３の本体に連接する折り曲げ部３ｅの長さと底３の本体１に連接する折り曲げ部１ｋ側の辺Ａの長さが等しく、折り曲げ部１ｋ側の辺Ａに対向する係合片３ｃ，３ｄ側の辺Ｃの長さが折り曲げ部３ｅ及び辺Ａよりも短く形成され、さらに、折り曲げ部３ｅに対向する辺Ｂの長さが辺Ｃの長さよりも相当に短く形成されている。これら折り曲げ部１ｋ側の係合片３ｂ，３ｄの底３本体との連接部である折り曲げ部３ｅの長さは、底３の八角形の一辺の長さ（幅）よりも所定寸法小さく形成され、同折り曲げ部３ｅは、係合片３ａ，３ｃ側では、所定寸法ａを開けて、また折り曲げ部１ｋ側では、同寸法ａよりも大きい所定寸法ｂを開けて設けられている。そして、辺Ａは第４、第６の偏平面１ｄ、１ｆとの間に所定の間隔を開けて左右に平行に延び、又辺Ｂは第３、第７の偏平面１ｃ、１ｇの支持片１２ｃ、１２ｇの側面との間に所定の間隔を開けて上下に平行に延びている。
【００３６】
上記寸法ａは、係合片３ｂ，３ｄを図１３及び図１２のように本体１の下端側開口部に嵌め込んだ時に本体１側の偏平面１ｃ，１ｇの板厚を嵌合する嵌合部を形成するための寸法であり、また上記寸法ｂは、底３本体の折り曲げ部１ｋを折り曲げやすくするための寸法である（自由度確保）。これと同様の開き寸法ａは、本体１の下端側第１の支持片１２ａの一側（偏平面１ｂ側）、第２、第３の支持片１２ｃ，１２ｇの両側にもそれぞれ設けられており、蓋３の先端側八角形の一辺と同じ幅の係合片３ａ，３ｃの嵌め込み易さ（上記上下を逆にした状態での図２のイ〜ニ部分への）を確保しながらも嵌め込み後に適切な係合力、係止力を維持できる構成としている（図１３及び図１２の係合状態を参照）。
【００３７】
特に、折り曲げ部１ｋ側の係合片３ｂ，３ｄの底３本体との連接部である折り曲げ部３ｅの長さ（幅）は、底３の八角形の一辺の長さ（幅）よりも所定寸法小さく形成され、同折り曲げ部３ｅは、係合片３ａ，３ｃ側では所定寸法ａを開けて、また折り曲げ部１ｋ側では、同寸法ａよりも大きい所定寸法ｂを開けて設けられており、同寸法ａが本体１の下端側開口部に嵌め込んだ時に本体１側の偏平面１ｃ，１ｇの板厚を緊密に嵌合固定するが、その場合に、台形の係合片３ｂ，３ｄの辺Ｃが、同偏平面１ｃ，１ｇの内壁面に押圧力を伴って衝合し、確実な摩擦力、係止力を伴って係合されるようになる（図１３及び図１２の状態を参照）。したがって、底３の折り曲げ部１ｋ側での確実な係合が可能になる。しかも、同係合片３ｂ，３ｄは、全体として台形の形状をしており、図１３及び図１２から明らかなように、傾斜面である辺Ａ及び辺Ｂが山形のガイド面を形成し、係合片３ｂ，３ｄの嵌め込みをスムーズにガイドする。その結果、底３の嵌め込み作業も容易になる。
【００３８】
一方、以上のようにして底３を閉じた状態において（底３は一旦閉じると開放しない）、上記断面正八角形状の本体１の上端側開口部の第１〜第３の３つの支持片１１ａ，１１ｃ，１１ｇは、できれば、それぞれ折り曲げることなく第１、第３、第７の各偏平面１ａ，１ｃ，１ｇに沿って上方に延びる状態に維持し（もちろん、折り曲げた状態でもかまわないが）、また蓋２も折り曲げることなく上方に開いた状態に維持しておく。そして、その状態で、同上端側開口部から半生状態のうどん麺、そば麺、中華麺等の半生麺を収納する。この場合、うどん麺、そば麺、中華麺等の各半生麺は、予めシール性のあるポリ袋に入れられており、例えば一例として２人前のものが採用され、出汁を入れた出汁袋とセットにして収納される。
【００３９】
このようにして半生麺が収納されると、次に上記第１〜第３の３つの支持片１１ａ，１１ｃ，１１ｇをそれぞれ折り曲げ部で水平状態まで直角に折り曲げると共に、蓋２外周の４つの係合片（爪片）２ａ，２ｂ，２ｃ，２ｄを折り曲げ部でそれぞれ直角に折り曲げる（図２の斜視図の状態を参照）。そして、その後、同蓋２側の４つの係合片（爪片）２ａ，２ｂ，２ｃ，２ｄをそれぞれ本体１側の第１〜第３の支持片１１ａ，１１ｃ，１１ｇ及び折り曲げ部１ｊ間（図２のイ〜ニ部分）にそれぞれ嵌め込んで相互に係合し、固定する。これにより最終的に底３及び蓋２が閉じた状態に係止される（図１、図６〜図１０、図１３、図１４の状態を参照）。この状態において、蓋２の八角形の本体面は、上記第１〜第３の支持片１１ａ，１１ｃ，１１ｇで下面側を支持され、同第１〜第３の３つの支持片１１ａ，１１ｃ，１１ｇ及び折り曲げ部１ｊ間（図２のイ〜ニ部分）に上記直角に折り曲げられた４つの係合片（爪片）２ａ，２ｂ，２ｃ，２ｄをそれぞれ嵌合係止することにより固定される。
【００４０】
この場合、先に述べた底３の場合と同様に、蓋２側の対角方向の４つの係合片（爪片）２ａ，２ｂ，２ｃ，２ｄのうち、折り曲げ部（連接部）１ｊ側の係合片２ｂ，２ｄの形状は、図４に拡大して示すように、方形で対向する各辺が相互に平行な先端側の係合片２ａ，２ｃの形状とは異なり、略台形状で、しかも対向する各辺が相互に不平行に形成されている。そして、蓋２の本体面に連接する折り曲げ部２ｅを含む４つの辺２ｅ及びＡ，Ｂ，Ｃ各部の長さは、例えば蓋２の本体に連接する折り曲げ部２ｅの長さと蓋２の本体１に連接する折り曲げ部１ｊ側の辺Ａの長さが等しく、折り曲げ部１ｊ側の辺Ａに対向する係合片２ｃ，２ｄ側の辺Ｃの長さが折り曲げ部２ｅ及び辺Ａよりも短く形成され、さらに、折り曲げ部２ｅに対向する辺Ｂの長さが辺Ｃの長さよりも相当に短く形成されている。これら折り曲げ部１ｊ側の係合片２ｂ，２ｄの蓋２本体との連接部である折り曲げ部２ｅの長さは、蓋２の八角形の一辺の長さ（幅）よりも所定寸法小さく形成され、同折り曲げ部２ｅは、係合片２ａ，２ｃ側では、所定寸法ａを開けて、また折り曲げ部１ｊ側では、同寸法ａよりも大きい所定寸法ｂを開けて設けられている。そして、辺Ａは第４、第６の偏平面１ｄ、１ｆとの間に所定の間隔を開けて左右に平行に延び、又辺Ｂは第３、第７の偏平面１ｃ、１ｇの支持片１１ｃ、１１ｇの側面との間に所定の間隔を開けて上下に平行に延びている。
【００４１】
上記寸法ａは、係合片２ｂ、２ｄを、図１３及び図１４のように、本体１の上端側開口部に嵌め込んだ時に本体１側の偏平面１ｃ，１ｇの板厚を嵌合する嵌合部を形成するための寸法であり、また寸法ｂは、蓋２本体の折り曲げ部１ｊを折り曲げやすくするための寸法である（自由度確保）。上記同様の開き寸法ａは、本体１の上端側第１の支持片１１ａの一側（偏平面１ｂ側）、第２、第３の支持片１１ｃ，１１ｇの両側にもそれぞれ設けられており、蓋２の先端側八角形の一辺と同じ幅の係合片２ｃ，２ｄの嵌め込み易さ（図２のイ〜ニ部分への）を確保しながらも嵌め込み後に適切な係合力、係止力を維持できる構成としている（図１３及び図１４の状態を参照）。
【００４２】
特に、折り曲げ部１ｊ側の係合片２ｂ，２ｄの蓋２本体との連接部である折り曲げ部２ｅの長さ（幅）は、蓋２の八角形の一辺の長さ（幅）よりも所定寸法小さく形成され、同折り曲げ部２ｅは、係合片２ａ，２ｃ側では、所定寸法ａを開けて、また折り曲げ部１ｊ側では、同寸法ａよりも大きい所定寸法ｂを開けて設けられており、同寸法ａが本体１の上端側開口部に嵌め込んだ時に本体１側の偏平面１ｃ，１ｇの板厚を緊密に嵌合固定するが、その場合に、台形の係合片２ｂ，２ｄの辺Ｃが、同偏平面１ｃ，１ｇの内壁面に押圧力を伴って衝合し、確実な摩擦力、係止力を伴って係合されるようになる（図１３及び図１４の状態を参照）。したがって、蓋３の折り曲げ部１ｊ側での確実な係合が可能になる。しかも、同係合片２ｂ，２ｄは、全体として台形の形状をしており、図１３及び図１４から明らかなように、傾斜面である辺Ａ及び辺Ｂが山形のガイド面を形成し、係合片２ｂ，２ｄの嵌め込みをスムーズにガイドする。その結果、蓋３の嵌め込み作業も容易になる。そして、この蓋３の場合にも、上記蓋３の嵌め込み作業終了後に、必要に応じてセロテープ等を貼って、より確実に蓋３を本体１に固定する。
【００４３】
このような構成のうどん麺等半生麺の包装用容器の場合、例えば図１、図６〜図１４のように、うどん麺等の半生麺及び出汁を収納して蓋３を閉じた状態では、全体として断面正八角形状の紙製筒体となり、紙製ではあるが、８つの角部で側面強度を大きく向上させた非常に強度の高い上下方向に等径の筒形容器となる。しかも、同容器は、その大きさ（寸法）や形状を既製のペットボトル等飲料容器での飲料を販売している自動販売機で共通に販売できるように構成している。
【００４４】
したがって、冷蔵機能、温度調節を備えた既製の飲料等自動販売機で並販することができ、店頭での販売などと異なって、長期間の保存が可能となる。そのため、従来のような特別な保存処理が不要となる。また、保存期間を長くするために水分量を減らす必要もなくなり、半生麺特有の美味しい食味を確保することができる。
【００４５】
しかも、同容器の筒体構造には、多角形である八角形の全体が等径の筒体構造が採用されている。八角形の場合、多角形の中でも限りなく円形に近くて十分に収納容積が広く、移送時（ガイド時）の転動性が高いにも拘わらず、周方向に所定の間隔で８つの角部が形成されている。したがって、偏平面や円形面の場合に比べて、その側面強度が大きく向上する。
【００４６】
そのため、例えば容器の構成素材として紙材を採用した場合にも、上記投入口への投入やラック部から取り出し口への落下の際の衝撃によって、容器が傷付いたり、変形したりすることがなくなる。
【００４７】
さらに、上記包装用容器は、ボール紙製であり、例えば一例として、特に安価なコートボール紙と段ボール紙の貼合紙を採用している。コートボール紙に段ボール紙を貼り合わせた貼合紙の場合、古紙の使用が可能で安価なことは素より、リサイクル性も高く、環境適合性にも優れている。そして、上記八角形の筒体構造の場合、そのようなボール紙を採用したとしても、側面強度が有効に向上されて、上記投入口への投入やラック部から取り出し口への落下の際の衝撃によっても、容器が傷付いたり、変形することがない。また、ラック部やシューター部における移送時（ガイド時）の転動性も高いので、スムーズな搬出が可能となる。また、コートボール紙に段ボール紙を貼り合わせた貼合紙である場合、段ボール紙部分で衝撃時の緩衝性があるために、収納されている半生麺への衝撃も少ない。そのため、麺折れが生じにくい。また、コートボール紙に段ボール紙を貼り合わせた貼合紙の場合、古紙の使用が可能で、リサイクル性も高く、環境適合性にも優れている。
【００４８】
そして、同包装用容器の外周面には、例えば図１５に示すような、収納する半生麺に応じた所望の美しい印刷が施される。今、図１５では、一例として、うどん麺（包丁切り半生うどん麺）用の包装用容器として構成したものを示している。
【００４９】
うどん麺やそば麺、中華麺等の半生麺の販売容器の形状として、このような八角形状の容器形状は、きわめて斬新で、これまで市場（業界）では全く採用されていない。しかも、同八角形状の半生麺容器は、上述のように、角部の角度が大きく、限りなく円筒形に近くて、転動性が高い。したがって、缶ジュースなどと同じように、両側を共通にガイドすることができ、まっすぐに転がりながら排出されるので、ペットボトルなどのような姿勢制御装置が不要で、平行投入、平行排出型の自動販売機での販売に特に適したものとなる。そして、平行排出型の場合、上記のように転がりながらシューター部を移動するので、落下時の衝撃も小さい。それでいながら周方向に８つの角部があって、容器全体の強度も高いので、落下時の衝撃にも強い。
【００５０】
この結果、既製の飲料用の自動販売機で、ペットボトル入り飲料、缶入り飲料などと一緒に何の支障もなく販売することができる。
【００５１】
しかも、飲料の自動販売機は、冷蔵管理が可能な冷凍機器であり、半生麺を冷蔵状態で保存することができるので、従来の店頭での販売に比べて、遥かに保存期間が長くなる。また、販売者にとっては、場所を選ばず、２４時間、人件費なしで販売することができ、消費者にとっては何時でも欲しくなった時に半生麺を購入することができる。したがって、売上増にも大いに貢献することができる。
【００５２】
このように、本実施の形態に係る半生麺用の包装用容器は、飲料等自動販売機での半生麺販売用の容器として非常に有益なものであるが、もちろん、これまでのように方形の紙箱に詰めて複数箱セット販売することも可能である（土産、中元、歳暮商品などとして）。その場合、上記のように容器の形状が八角形であると、箱詰めした時に、上下両面側が共に水平面となり、また左右両側面が共に上下方向に垂直面となるので、角部の多い多角形でありながら、正方形及び長方形の箱体の場合と同様に安定した状態で方形の箱内に収納することができる。六角形の場合だと、上下をフラットにして収納しても、左右が角部となり、安定しない。五角形の場合、上下にフラット面を取ることができず、左右にフラット面を取ることもできない。
【００５３】
しかも、上記八角形の容器構成の場合、収納状態において、上部側台形の３面が山形に突出する形となるので、箱詰め状態における配列デザインが斬新で、商品訴求力も高くなる。  例えば、上述の図１５に示すような明るく美しいデザインの八角形のうどん麺容器が６〜１２種類等の複数のメニュー分準備され、それら各メニュー毎に容器のデザインを変えて組み合わされ、箱詰めされているとすると、非常に斬新なうどん麺等の商品形態（販売形態）となり、これまでの商品に比べて、店頭でも非常に目立つ存在となる。
【００５４】
その結果、販促効果を大きく向上させるものとなる。
【００５５】
（２）実施の形態２に係る半生麺用包装用容器の構成について
次に図１６〜図１８は、本願発明の実施の形態２に係る自動販売機での販売に適した多角形状の半生麺用包装用容器の構成を示している。
【００５６】
この実施の形態２に係る半生麺用包装用容器も、その素材及び基本的な構成は上記実施の形態１に係る半生麺用包装用容器のものと同様であるが、本体１及び蓋２、底３の形状を、それぞれ断面八角形から断面六角形に変更したことを特徴としている。六角形の場合、八角形よりは円形から離れるが、多角形状としては共通するものであり、殆ど上述した八角形のものと同様の作用を実現することができる。したがって、その意味では、さらに五角形に変更することも可能である。
【００５７】
（３）実施の形態３に係る半生麺用包装用容器の構成について
次に図１９〜図３０は、本願発明の実施の形態３に係る自動販売機での販売に適した円筒形状の半生麺用包装用容器の構成を示している。
【００５８】
この実施の形態３に係る半生麺用包装用容器の場合にも、その素材として、安価なコートボール紙と緩衝性のある段ボール紙の貼合紙を使用しているが、その厚さを所定寸法厚くすることによって強度を向上させ、同様に自動販売機での販売を可能としている。
【００５９】
この包装用容器の場合にも、円筒形状の本体１０、同じく円形の蓋２０、同じく円形の底３０の３つの部分からなっている。そして、本体１部分は、例えば図２１の展開図に示されるように、図１９のような円筒状の本体１を形成する所定の縦横寸法比の長方形状の１枚の貼合紙（コートボール紙+段ボール紙）よりなり、その上下両端側略中間部（重ね合わせ部の幅だけ右側が長い）に円形の蓋２０、底３０をそれぞれ所定幅の折り曲げ部（連接部）１０ａ，１０ｂを介して連接一体化している。円形の蓋２０、底３０の外径φ２は、円筒状の本体１の外径（図２１の展開状態の本体１の両端１０ａ，１０Ｂを所定幅重ね合わせて接合し、図２０のように筒体化した時の外径）φ１よりも半径方向の板厚分だけ大きく形成されており、本体１の上下両端側の開口部を覆うことができるようになっている。そして、同円形の蓋２０、底３０の対角位置外周には、さらに上記実施の形態１の場合と同様の４つの係合片２０ａ，２０ｂ、２０ｃ，２０ｄ、３０ａ，３０ｂ、３０ｃ，３０ｄがそれぞれ折り曲げ部（連接部／符号省略）を介して連接一体化されている。これら４つの係合片２０ａ，２０ｂ、２０ｃ，２０ｄ、３０ａ，３０ｂ、３０ｃ，３０ｄは、先端側係合部よりも折り曲げ部（連接部）の幅が狭く形成され、かつ同折り曲げ部は、筒状の本体１の半径方向の板厚分だけ内側に位置して設けられている。符号２１，２１・・、３１，３１・・は、そのための半径方向内側への切り込み溝である。そして、これにより４つの係合片２０ａ，２０ｂ、２０ｃ，２０ｄ、３０ａ，３０ｂ、３０ｃ，３０ｄは、それぞれ図２０のように直角に折り曲げられた状態において、図２６〜図３０のように本体１の上下開口縁部内に嵌め込まれて係合固定される。この場合において、底３側の係合片３０ａ，３０ｂ、３０ｃ，３０ｄは、本体１の開口縁部にホットメルト等の熱接合を行っても良い。また、蓋２０は、その本体面を半生麺及び出汁を収納した状態において、本体１にセロテープ等で係止するようにしても良い。
【００６０】
この結果、例えば図１９、図２２〜図２５に示すような、内部にうどん麺、そば麺、中華麺等の半生麺及び出汁を収納した、全体として円筒形状の飲料等自動販売機での販売に適したパッケージ商品が完成する。そして、この場合にも、当該容器の外周面には、先の図１５に示したような、内部の麺に対応した美しいデザインの印刷が施される。
【００６１】
このような円筒形状の場合、外周面に多くの角部が無いために、相対的には側面方向の強度が低下する。しかし、その分素材である紙材の厚さを厚くしているので、十分に実用的な強度を実現することができた。また、このような円筒形状の場合、缶ジュースなどと同じように、両側を共通にガイドすることができ、転動性が高いので、ペットボトルなどのような姿勢制御装置が不要で、平行投入、平行排出型の自動販売機での販売に特に適したものとなる。そして、平行排出型の場合、転がりながらシューター部を移動するので、落下時の衝撃も小さい。したがって、円筒形の場合にも先ず変形の可能性はない。
【００６２】
そして、この容器の場合にも、八角形の容器の場合と同様に、箱詰めでの販売が可能である。
【符号の説明】
【００６３】
１は本体、１ａ〜１ｈは八角形の本体の各偏平面、２は蓋、２ａ〜２ｄは係合片、３は底、１０は本体、１１ａ〜１１ｃは支持片、１２ａ〜１２ｃは支持片、２０は蓋、２０ａ〜２０ｄは係合片、３０は底、３０ａ〜３０ｄは係合片である。
【図１】
0003225031.tif 000003
【図２】
0003225031.tif 000004
【図３】
0003225031.tif 000005
【図４】
0003225031.tif 000006
【図５】
0003225031.tif 000007
【図６】
0003225031.tif 000008
【図７】
0003225031.tif 000009
【図８】
0003225031.tif 000010
【図９】
0003225031.tif 000011
【図１０】
0003225031.tif 000012
【図１１】
0003225031.tif 000013
【図１２】
0003225031.tif 000014
【図１３】
0003225031.tif 000015
【図１４】
0003225031.tif 000016
【図１５】
0003225031.tif 000017
【図１６】
0003225031.tif 000018
【図１７】
0003225031.tif 000019
【図１８】
0003225031.tif 000020
【図１９】
0003225031.tif 000021
【図２０】
0003225031.tif 000022
【図２１】
0003225031.tif 000023
【図２２】
0003225031.tif 000024
【図２３】
0003225031.tif 000025
【図２４】
0003225031.tif 000026
【図２５】
0003225031.tif 000027
【図２６】
0003225031.tif 000028
【図２７】
0003225031.tif 000029
【図２８】
0003225031.tif 000030
【図２９】
0003225031.tif 000031
【図３０】
0003225031.tif 000032